(57)【要約】【課題】災害等によって窯業系の突出部が破断したとしても、その破断箇所が脱落してしまうことを防止する。【解決手段】建物の躯体に沿って取り付けられた長尺な化粧板における前記躯体から突出した突出部の補強構造である。化粧板は窯業系の化粧板である。化粧板における突出部と躯体とが連結部材によって連結されている。【選択図】図２
2010037716.tif 000002
【特許請求の範囲】
【請求項１】
建物の躯体に沿って取り付けられた長尺な化粧板における前記躯体から突出した突出部の補強構造であって、
前記化粧板は窯業系の化粧板であり、
前記化粧板における突出部と前記躯体とが連結部材によって連結されていることを特徴とする突出部の補強構造。
【請求項２】
請求項１記載の突出部の補強構造において、
前記突出部に取り付けられる補強板を備え、
前記連結部材は前記補強板に係合されていることを特徴とする突出部の補強構造。
【請求項３】
請求項２記載の突出部の補強構造において、
前記連結部材は、前記突出部に重ねられる第一連結部と、前記第一連結部と一体的に形成されて、前記躯体に固定される第二連結部とを備え、
前記補強板は、前記突出部とともに前記第一連結部を挟持することを特徴とする突出部の補強構造。
【請求項４】
請求項３記載の突出部の補強構造において、
前記突出部には、前記第一連結部及び前記補強板が係合する係合凹部が形成されていて、
前記補強板は前記係合凹部に嵌合することを特徴とする突出部の補強構造。
【請求項５】
請求項１〜４のいずれか一項に記載の突出部の補強構造において、
前記連結部材が繊維から形成されていることを特徴とする突出部の補強構造。
【請求項６】
請求項１記載の突出部の補強構造において、
前記化粧板は、突出方向に沿って延在する中空部と、前記中空部と外部とを連通するため、前記化粧板の側面に形成された連通孔とを有し、
前記連結部材は、前記中空部内に配置されるとともに、前記連通孔を介して前記躯体に固定されていることを特徴とする突出部の補強構造。
【発明の詳細な説明】
【技術分野】
【０００１】
本発明は、建物外部に突出した突出部を補強するための突出部の補強構造に関する。
【背景技術】
【０００２】
例えば、建物の外観のデザイン性を高めるために、建物の外装に化粧板を用いる工法が知られている。化粧板には、例えば幕板や破風などがあるが、これらにおいてデザイン上、建物の躯体から突出した突出部が設けられる場合もある（例えば特許文献１参照）。
【特許文献１】特開２００２−２４２３９３号公報
【発明の開示】
【発明が解決しようとする課題】
【０００３】
近年、美観を高めるために窯業系の化粧板が採用されるようになってきている。しかしながら、上述したように突出部は建物の外部に突出しているために、どうしても風の影響を受けやすい。特に、窯業系の化粧板であると、金属板からなる化粧板よりも破断しやすく、強風などによって破断し、その破断箇所が落下してしまうおそれもある。
【０００４】
そこで、本発明の課題は、災害等によって窯業系の突出部が破断したとしても、その破断箇所が脱落してしまうことを防止することである。
【課題を解決するための手段】
【０００５】
請求項１記載の発明は、例えば図１，２に示すように、
建物１の躯体２に沿って取り付けられた長尺な化粧板３における前記躯体２から突出した突出部４の補強構造であって、
前記化粧板３は窯業系の化粧板であり、
前記化粧板３における突出部４と前記躯体２とが連結部材５によって連結されていることを特徴としている。
【０００６】
請求項１記載の発明によれば、窯業系の化粧板３における突出部４が連結部材５によって建物１の躯体２に連結されているので、突出部４が破断したとしても、破断した箇所を連結部材５によってつなぎ止めることができる。これにより、破断箇所の脱落を防止することができる。
【０００７】
請求項２記載の発明は、例えば図２に示すように、
請求項１記載の突出部４の補強構造において、
前記突出部４に取り付けられる補強板６を備え、
前記連結部材５は前記補強板６に係合されていることを特徴としている。
【０００８】
請求項２記載の発明によれば、突出部４に取り付けられた補強板６に連結部材５が係合しているので、連結部材５と突出部４との連結強度を高めることができる。
【０００９】
請求項３記載の発明は、例えば図２に示すように、
請求項２記載の突出部の補強構造において、
前記連結部材５は、前記突出部４に重ねられる第一連結部５１と、前記第一連結部５１と一体的に形成されて、前記躯体２に固定される第二連結部５２とを備え、
前記補強板６は、前記突出部４とともに前記第一連結部５１を挟持することを特徴としている。
【００１０】
請求項３記載の発明によれば、連結部材５の第一連結部５１が補強板６と突出部４とによって挟持されているので、連結部材５と突出部４との連結強度をより高めることができる。
【００１１】
請求項４記載の発明は、例えば図３，４に示すように、
請求項３記載の突出部４ａの補強構造において、
前記突出部４ａには、前記第一連結部５１ａ及び前記補強板６ａが係合する係合凹部（凹部４２ａ）が形成されていて、
前記補強板６ａは前記係合凹部に嵌合することを特徴としている。
【００１２】
請求項４記載の発明によれば、突出部４ａの係合凹部に補強板６ａが嵌合しているので、第一連結部５１ａと突出部４ａとの連結強度を高めながらも、薄型にすることが可能となる。
【００１３】
請求項５記載の発明は、例えば図５に示すように、
請求項１〜４のいずれか一項に記載の突出部４ａの補強構造において、
前記連結部材５ｂが繊維から形成されていることを特徴としている。
【００１４】
請求項５記載の発明によれば、連結部材５ｂが繊維から形成されているので、例えば連結部材が金属や木材から形成されている場合よりも軽量化することができ、突出部４ａに対する負荷を抑制することができる。
【００１５】
請求項６記載の発明は、例えば図６〜８に示すように、
請求項１記載の突出部４ｃの補強構造において、
前記化粧板３ｃは、突出方向に沿って延在する中空部３１ｃと、前記中空部３１ｃと外部とを連通するため、前記化粧板３ｃの側面に形成された連通孔３２ｃとを有し、
前記連結部材５ｃは、前記中空部３１ｃ内に配置されるとともに、前記連通孔３２ｃを介して前記躯体２に固定されていることを特徴としている。
【００１６】
請求項６記載の発明によれば、連結部材５ｃが化粧板３ｃの中空部３１ｃ内に配置されているので、連結部材５ｃが外部に露出する面積を低減でき、連結部材５ｃによって外観が損なわれることを抑えることができる。
【発明の効果】
【００１７】
本発明によれば、窯業系の化粧板における突出部が連結部材によって建物の躯体に連結されているので、突出部が破断したとしても、破断した箇所を連結部材によってつなぎ止めることができる。これにより、破断箇所の脱落を防止することができる。
【発明を実施するための最良の形態】
【００１８】
以下、本実施形態に係る突出部の補強構造について説明する。図１は突出部を有する建物を示す斜視図である。図１に示すように、建物１には、その躯体２に沿って長尺な化粧板３が取り付けられている。化粧板３の端部は、躯体２の壁面から外方に向かって突出している。この化粧板３の端部が本発明に係る突出部４である。化粧板３としては、例えば躯体２の屋根２１の端面に取り付けられる破風３１、躯体２の外壁面に取り付けられる幕板３２等が挙げられる。そして化粧板３には窯業系の化粧板が用いられている。
【００１９】
図２は、突出部４の補強構造を示す斜視図である。図２に示すように、化粧板３の突出部４には、その躯体２側を向く内側面４１に連結部材５が取り付けられている。
【００２０】
連結部材５には、突出部４の内側面４１に重ねられる第一連結部５１と、第一連結部５１と一体的に形成されて、躯体２に固定される第二連結部５２とが備えられている。連結部材５は、例えば金属板から形成されており、第一連結部５１と第二連結部５２とが略９０度となるように、折り曲げ成形されている。第二連結部５２には貫通孔５３が形成されていて、この貫通孔５３を介して躯体２にネジ止めされるようになっている。
【００２１】
また、突出部４の内側面４１には、突出部４とほぼ同形状な補強板６が、当該突出部４とともに第一連結部５１を挟持するように取り付けられている。突出部４及び第一連結部５１と、補強板６とは接着剤により固定されている。これにより、補強板６と連結部材５とが係合することになる。
【００２２】
次に、本実施形態の作用について説明する。
台風等の強風時に飛来物がぶつかることよって化粧板３に亀裂が入ってしまい、突出部４が脱落しそうになったとしても、突出部４は連結部材５を介して躯体２に連結されているために、その脱落が防止されることになる。
【００２３】
以上のように、本実施形態によれば、窯業系の化粧板３における突出部４が連結部材５によって建物１の躯体２に連結されているので、突出部４が破断したとしても、破断した箇所を連結部材５によってつなぎ止めることができる。これにより、破断箇所の脱落を防止することができる。
【００２４】
また、連結部材５の第一連結部５１が補強板６と突出部４とによって挟持されているので、連結部材５と突出部４との連結強度を高めることができる。
【００２５】
なお、本発明は上記実施形態に限らず適宜変更可能であるのは勿論である。
例えば、上記実施形態で例示した連結部材５と突出部４との連結構造以外にも、以下の変形例１〜３のような連結構造などが挙げられる。なお、以下の説明において上記実施形態と同一部分においては同一の符号を付してその説明を省略する。
【００２６】
［変形例１］
図３は変形例１の概略構成を示す斜視図であり、図４は側断面図である。この図３に示すように、突出部４ａの内側面４１ａには、長手方向に沿って凹部４２ａが形成されている。この凹部４２ａには、連結部材５ａの第一連結部５１ａが中側、補強板６ａが外側という具合に、第一連結部５１ａと補強板６ａとが積層される。これにより、第一連結部５１ａが突出部４ａと補強板６ａとにより挟持される。また、補強板６ａは、突出部４ａの内側面４１ａと、補強板６ａの内側面６１ａとが面一となるように、凹部４２ａに嵌合している。つまり、凹部４２ａが本発明に係る係合凹部である。これにより、第一連結部５１ａと突出部４ａとの連結強度を高めながらも、薄型にすることが可能となる。一方、連結部材５ａの第二連結部５２ａは、貫通孔５３ａを介して躯体２にネジ止めされる。したがって、窯業系の化粧板３における突出部４ａが連結部材５ａによって建物１の躯体２に連結されることになり、突出部４ａが破断したとしても、破断した箇所を連結部材５ａによってつなぎ止めることができる。
【００２７】
［変形例２］
図５は変形例２の概略構成を示す斜視図である。上記実施形態及び変形例１では、連結部材５，５ａが金属板から形成された場合を例示して説明したが、この変形例２では連結部材５ｂが繊維から形成されている場合を例示している。その他の部分は変形例１と同一である。図５に示すように、繊維から成る連結部材５ｂの第一連結部５１ｂは、突出部４ａの凹部４２ａに配置されており、当該突出部４ａと補強板６ａとにより挟持されている。一方連結部材５ｂの第二連結部５２ｂは釘やねじ等によって躯体２に連結される。これによって、窯業系の化粧板３における突出部４ａが連結部材５ｂによって建物１の躯体２に連結されることになり、突出部４ａが破断したとしても、破断した箇所を連結部材５ｂによってつなぎ止めることができる。また、連結部材５ｂが繊維から形成されているので、例えば連結部材が金属や木材から形成されている場合よりも軽量化することができ、突出部４ａに対する負荷を抑制することができる。
【００２８】
［変形例３］
図６〜８は変形例３の概略構成を示す斜視図である。この変形例３の化粧板３ｃには、突出部４ｃの突出方向（長手方向）に沿って延在する中空部３１ｃと、中空部３１ｃと外部とを連通するため、化粧板３ｃにおける突出部４ｃの側面に形成された連通孔３２ｃとが複数形成されている。
【００２９】
また、連結部材５ｃは、中空部３１ｃ内に配置されるとともに、連通孔３２ｃを介して躯体２に固定されるものである。連結部材５ｃには、突出部４ｃの先端面に係合する係合片５１ｃと、係合片５１ｃから延出し中空部３１ｃ内に進入する線材部５２ｃとが設けられている。線材部５２ｃは、図７に示すように、中空部３１ｃ内に配置されるとともに、連通孔３２ｃを介して外部に露出する。線材部５２ｃの先端は、図７，８に示すように、ねじ５５ｃに巻き付けられており、このねじ５５ｃを躯体２に螺入することで、連結部材５ｃが躯体２に固定される。このように、連結部材５ｃが化粧板３の中空部３１ｃ内に配置されているので、連結部材５ｃが外部に露出する面積を低減でき、連結部材５ｃによって外観が損なわれることを抑えることができる。さらに、係合片５１ｃ及び中空部３１ｃが露出しないようにカバー５６ｃを突出部４ｃの先端面に取り付けることが外観上好ましい（図７参照）。
【図面の簡単な説明】
【００３０】
【図１】本実施形態の突出部を有する建物を示す斜視図である。
【図２】本実施形態の突出部の補強構造を示す斜視図である。
【図３】変形例１の突出部の補強構造の概略構成を示す斜視図である。
【図４】図３の突出部の補強構造を示す側断面図である
【図５】変形例２の突出部の補強構造の概略構成を示す斜視図である。
【図６】変形例３の突出部の補強構造の概略構成を示す斜視図である。
【図７】図６の突出部の補強構造の概略構成を示す斜視図である。
【図８】図７の連結部材とねじとの係合状態を示す斜視図である。
【符号の説明】
【００３１】
１      建物
２      躯体
３      化粧板
４      突出部
５      連結部材
６      補強板
３１ｃ    中空部
３２ｃ    連通孔
４１      内側面
５１      第一連結部
５２      第二連結部
【図１】
2010037716.tif 000003
【図２】
2010037716.tif 000004
【図３】
2010037716.tif 000005
【図４】
2010037716.tif 000006
【図５】
2010037716.tif 000007
【図６】
2010037716.tif 000008
【図７】
2010037716.tif 000009
【図８】
2010037716.tif 000010